(57)【要約】【課題】通湯路の熱が台座や操作ハンドルに伝わることを抑制することができ、安全性を確保することができる水栓装置を提供する。【解決手段】本発明の水栓装置１は、吐水部と、通湯路１６を開閉する開閉弁２２と、通湯路の外側に設けられて開閉弁を収容して開閉可能に保持する保持部２４と、開閉弁に接続されて開閉弁の開閉操作を可能にする操作部３６と、保持部と操作部との間に設けられて、保持部を所定位置に固定可能にする内側台座部２６と、操作部に対して別体に設けられて、内側台座部を覆うように取り付けられた外側台座部２８と、を有し、内側台座部は、保持部の外側に接触可能な接触部４２と、外側台座部が取り付けられた状態で外側台座部を支持可能な支持部４４と、を備え、内側台座部及び外側台座部のそれぞれには、通湯路から保持部を介して伝達される熱を抑制する伝熱抵抗部４６，Ｓ１，Ｓ２が設けられている。【選択図】図６
2018138748.tif 000002
【特許請求の範囲】
【請求項１】
湯、水、又は混合湯水を吐止水する水栓装置であって、
湯、水、又は混合湯水を吐水可能な吐水部と、
給水源から上記吐水部まで延びる通水路と、
給湯源から上記吐水部まで延びる通湯路と、
この通湯路を開閉する開閉弁と、
上記通湯路の外側に設けられて上記開閉弁を収容して開閉可能に保持する保持部と、
上記開閉弁に接続されて上記開閉弁の開閉操作を可能にする操作部と、
上記保持部と上記操作部との間に設けられて、上記保持部を所定位置に固定可能にする内側台座部と、
上記操作部に対して一体又は別体に設けられて、上記内側台座部を覆うように取り付けられた外側台座部と、を有し、
上記内側台座部は、上記保持部の外側に接触可能な接触部と、上記外側台座部が取り付けられた状態で上記外側台座部を支持可能な支持部と、を備え、
上記内側台座部及び上記外側台座部のそれぞれには、上記通湯路から上記保持部を介して伝達される熱を抑制する伝熱抵抗部が設けられており、
上記伝熱抵抗部は、上記接触部と上記支持部との間に形成された熱抵抗用の間隙を含むことを特徴とする水栓装置。
【請求項２】
上記接触部は、ほぼ円環状に形成されており、上記支持部は、上記接触部の周囲を取り囲むように形成されており、
上記熱抵抗用の間隙は、上記接触部と上記支持部とを接続する接続面を含む凹部により形成されており、
上記伝熱抵抗部は、上記凹部の接続面を貫くように形成されたスリットを含む請求項１記載の水栓装置。
【請求項３】
上記接触部の外周面と上記支持部の内周面との間隔は、全周に亘って等間隔で形成されており、
上記スリットは、上記凹部の接続面において周方向に等間隔で複数形成されている請求項２記載の水栓装置。
【請求項４】
上記伝熱抵抗部は、さらに、上記支持部の外周面と上記外側台座部の内周面との間に形成された熱逃がし用のさらなる間隙を含む請求項１乃至３の何れか１項に記載の水栓装置。
【請求項５】
さらに、上記内側台座部と上記外側台座部とを固定する単一のねじ部材を有し、この単一のねじ部材は、上記外側台座部の一部に螺合された状態で、その先端のみが上記内側台座部の外側に当接可能である請求項１乃至４の何れか１項に記載の水栓装置。
【請求項６】
上記内側台座部は、上記保持部を形成する材料の熱伝導率よりも低い熱伝導率の材料で形成されている請求項１乃至５の何れか１項に記載の水栓装置。
【請求項７】
さらに、上記開閉弁と上記操作部とを接続するように設けられて上記操作部の操作力を上記開閉弁に伝達する伝達軸部を有し、この伝達軸部は、上記保持部を形成する材料の熱伝導率よりも低い熱伝導率の材料で形成されている請求項１乃至６の何れか１項に記載の水栓装置。
【発明の詳細な説明】
【技術分野】
【０００１】
本発明は、水栓装置に係り、特に、湯、水、又は混合湯水を吐止水する水栓装置に関する。
【背景技術】
【０００２】
従来から、湯、水、又は混合湯水を吐止水する水栓装置として、例えば、特許文献１に記載されているように、所定の設置面上に設けられて、湯、水、又は混合湯水を吐水するスパウトと、湯量調整用のハンドル及び水量調整用のハンドルの２つの操作ハンドルとを備えたものが知られている。
また、上述した従来の水栓装置においては、通湯路及び通水路のそれぞれには、開閉弁が設けられており、各開閉弁は、通湯路及び通水路にそれぞれ設けられたバルブケースにそれぞれ収容されている。
そして、各操作ハンドルは、固定台座を介して各バルブケースと接続されていると共に、この固定台座によって設置面上に固定されている。さらに、固定台座の外面は、化粧台座によって覆われている。
【先行技術文献】
【特許文献】
【０００３】
【特許文献１】特開２００８−８８６７９号公報
【発明の概要】
【発明が解決しようとする課題】
【０００４】
しかしながら、上述した従来の水栓装置において、特に、湯量調整用のハンドルに対しては、例えば、９０℃程度の熱湯が通湯路に流れているため、この通湯路の高温の熱が、バルブケースにから固定台座及び化粧台座を介して操作ハンドルへ伝わってしまうという問題がある。
したがって、露出している操作ハンドルや化粧台座の表面が熱くなり、この熱くなっている部分を使用者が触れてしまう恐れがあるという問題がある。
【０００５】
そこで、本発明は、上述した従来技術の問題を解決するためになされたものであり、通湯路の熱が台座や操作ハンドルに伝わることを抑制することができ、安全性を確保することができる水栓装置を提供することを目的としている。
【課題を解決するための手段】
【０００６】
上述した課題を解決するために、本発明は、湯、水、又は混合湯水を吐止水する水栓装置であって、湯、水、又は混合湯水を吐水可能な吐水部と、給水源から上記吐水部まで延びる通水路と、給湯源から上記吐水部まで延びる通湯路と、この通湯路を開閉する開閉弁と、上記通湯路の外側に設けられて上記開閉弁を収容して開閉可能に保持する保持部と、上記開閉弁に接続されて上記開閉弁の開閉操作を可能にする操作部と、上記保持部と上記操作部との間に設けられて、上記保持部を所定位置に固定可能にする内側台座部と、上記操作部に対して一体又は別体に設けられて、上記内側台座部を覆うように取り付けられた外側台座部と、を有し、上記内側台座部は、上記保持部の外側に接触可能な接触部と、上記外側台座部が取り付けられた状態で上記外側台座部を支持可能な支持部と、を備え、上記内側台座部及び上記外側台座部のそれぞれには、上記通湯路から上記保持部を介して伝達される熱を抑制する伝熱抵抗部が設けられており、上記伝熱抵抗部は、上記接触部と上記支持部との間に形成された熱抵抗用の間隙を含むことを特徴としている。
このように構成された本発明においては、内側台座部の接触部と支持部との間に形成された熱抵抗用の間隙を含む伝熱抵抗部により、通湯路から保持部を介して内側台座部の接触部に伝達された熱が支持部に伝達されることを抑制することができる。
したがって、保持部から内側台座部の接触部に伝達された熱が内側台座部から外側台座部に伝達されることも抑制することができる。
よって、外観部分である外側台座部の表面温度が高くなることを防ぐことができ、使用者が外側台座部の表面に接触しても安全性を確保することができる。
【０００７】
本発明において、好ましくは、上記接触部は、ほぼ円環状に形成されており、上記支持部は、上記接触部の周囲を取り囲むように形成されており、上記熱抵抗用の間隙は、上記接触部と上記支持部とを接続する接続面を含む凹部により形成されており、上記伝熱抵抗部は、上記凹部の接続面を貫くように形成されたスリットを含む。
このように構成された本発明においては、内側台座部の接触部と支持部との間に形成される凹部の接続面を貫くスリットを含む伝熱抵抗部により、接触部と支持部とを接続している凹部の接続面の面積を小さくすることができる。
したがって、通湯路から保持部を介して内側台座部の接触部に伝達された熱が、外側台座部に伝達してしまうことを効果的に抑制することができる。
【０００８】
本発明において、好ましくは、上記接触部の外周面と上記支持部の内周面との間隔は、全周に亘って等間隔で形成されており、上記スリットは、上記凹部の接続面において周方向に等間隔で複数形成されている。
このように構成された本発明においては、伝熱抵抗部のスリットが凹部の接続面において周方向に等間隔で複数形成されているため、たとえ、内側台座部の接触部から支持部に熱が伝達されたとしても、ほぼ均等に伝達される。
したがって、通湯路から保持部を介して内側台座部の接触部に伝達された熱は、たとえ、外側台座部にも伝達されたとしても、ほぼ均等に伝達される。
よって、外観部分である外側台座部の表面が局所的に高温になることを防ぐことができ、使用者の安全性を確保することができる。
【０００９】
本発明において、好ましくは、上記伝熱抵抗部は、さらに、上記支持部の外周面と上記外側台座部の内周面との間に形成された熱逃がし用のさらなる間隙を含む。
このように構成された本発明においては、内側台座部の支持部の外周面と外側台座部の内周面との間に熱逃がし用のさらなる間隙が形成されているため、内側台座部と外側台座部との接触面積をより小さくすることができる。
したがって、保持部から内側台座部の接触部に伝達された熱が、外側台座部に伝達してしまうことをより効果的に抑制することができる。
【００１０】
本発明において、好ましくは、さらに、上記内側台座部と上記外側台座部とを固定する単一のねじ部材を有し、この単一のねじ部材は、上記外側台座部の一部に螺合された状態で、その先端のみが上記内側台座部の外側に当接可能である。
このように構成された本発明においては、内側台座部と外側台座部とが単一のねじ部材により固定された状態では、ねじ部材が外側台座部の一部に螺合されて、ねじ部材の先端のみが内側台座部の外側に対して局所的に当接した状態にすることができる。
したがって、例えば、内側台座部の全周や外側台座部の全周に対してねじ等で固定した場合に比べて、内側台座部と外側台座部との接触面積を小さくすることができる。
よって、内側台座部から外側台座部への熱伝導について効果的に抑制することができる。
【００１１】
本発明において、好ましくは、上記内側台座部は、上記保持部を形成する材料の熱伝導率よりも低い熱伝導率の材料で形成されている。
このように構成された本発明においては、内側台座部が保持部を形成する材料の熱伝導率よりも低い熱伝導率の材料で形成されているため、保持部から内側台座部に伝達された熱が、外側台座部に伝達してしまうことをさらにより効果的に抑制することができる。
【００１２】
本発明において、好ましくは、さらに、上記開閉弁と上記操作部とを接続するように設けられて上記操作部の操作力を上記開閉弁に伝達する伝達軸部を有し、この伝達軸部は、上記保持部を形成する材料の熱伝導率よりも低い熱伝導率の材料で形成されている。
このように構成された本発明においては、伝達軸部が、保持部を形成する材料の熱伝導率よりも低い熱伝導率の材料で形成されているため、高温の湯が開閉弁に接触して、その熱が伝達軸部を介して操作部に伝達されたとしても、操作部が高温になってしまうことを抑制することができる。
【発明の効果】
【００１３】
本発明の水栓装置によれば、通湯路の熱が台座や湯側操作ハンドルに伝わることを抑制することができ、安全性を確保することができる。
【図面の簡単な説明】
【００１４】
【図１】本発明の一実施形態による水栓装置の概略斜視図である。
【図２】本発明の一実施形態による水栓装置の正面図である。
【図３】本発明の一実施形態による水栓装置の正面断面図である。
【図４】本発明の一実施形態による水栓装置の湯流量調整操作装置の分解斜視図である。
【図５】図２のＶ−Ｖ線に沿った断面図である。
【図６】図３のＡ部拡大断面図である。
【図７】図５のＢ部拡大断面図である。
【図８】図２のＶＩＩＩ−ＶＩＩＩ線に沿った断面図である。
【発明を実施するための形態】
【００１５】
以下、添付図面を参照して、本発明の一実施形態による水栓装置について説明する。
まず、図１は、本発明の一実施形態による水栓装置の概略斜視図である。また、図２は、本発明の一実施形態による水栓装置の正面図である。さらに、図３は、本発明の一実施形態による水栓装置の正面断面図である。
【００１６】
まず、図１〜図３に示すように、本発明の一実施形態による水栓装置１は、浴槽Ｂ１の周辺のデッキ面Ｃ上に設けられたスパウト２、湯流量調整操作装置４、及び、水流量調整操作装置６をそれぞれ備えている。スパウト２は、その先端部分に吐水口２ａ（図２参照）を備え、湯、水、又は混合湯水を吐水可能な吐水部である。
つぎに、図１〜図３に示すように、水栓装置１は、デッキ面Ｃよりも下方にそれぞれ設けられた通湯管部材８、通水管部材１０、及び、分岐管部材１２を備えている。
なお、本実施形態の水栓装置１では、浴槽Ｂ１の周辺のデッキ面Ｃに設けられた形態について説明するが、洗面台やキッチンの流し台のデッキ面に設けられた形態であってもよい。
【００１７】
また、図２及び図３に示すように、通湯管部材８は、給湯器等の給湯源１４から供給される湯が通過する通湯路１６を形成する。そして、この通湯管部材８の一部には、湯流量調整操作装置４（詳細は後述する）が接続されており、この湯流量調整操作装置４により、通湯路１６を開閉操作して、通湯の流量調整が可能となっている。
同様に、図２及び図３に示すように、通水管部材１０は、水道等の給水源１８から供給される水が通過する通水路２０を形成する。そして、この通水管部材１０の一部には、水流量調整操作装置６が接続されており、この水流量調整操作装置６により、通水路２０を開閉操作して、通水の流量調整が可能となっている。
なお、水流量調整操作装置６については、湯流量調整操作装置４（詳細は後述する）と同様な構造であるため、詳細な説明については省略する。
さらに、図２及び図３に示すように、分岐管部材１２は、通湯管側、通水管側、及びスパウト側の三方向にそれぞれの管路を備えている。これにより、分岐管部材１２の通湯管側の管路は、その上流側の通湯路１６と連通しており、分岐管部材１２の通水管側の管路は、その上流側の通水路２０と連通している。また、分岐管部材１２のスパウト側の管路は、その下流側のスパウト２内の流路２ｂと連通している。
これらにより、通湯路１６及び通水路２０のそれぞれから分岐管部材１２のスパウト側の管路に流入した湯及び水は、その後、スパウト２内の流路２ｂを通過するようになっている。最終的には、湯流量調整操作装置４及び水流量調整操作装置６の調整操作に応じて、吐水口２ａから湯、水、又は混合湯水が吐止水されるようになっている。
【００１８】
つぎに、図３〜図８を参照して、本実施形態の水栓装置１の湯流量調整操作装置４の詳細について説明する。
まず、図４は、本発明の一実施形態による水栓装置の湯流量調整操作装置の分解斜視図である。つぎに、図５は、図２のＶ−Ｖ線に沿った断面図である。また、図６は、図３のＡ部拡大断面図であり、図７は、図５のＢ部拡大断面図である。さらに、図８は、図２のＶＩＩＩ−ＶＩＩＩ線に沿った断面図である。
【００１９】
まず、図３〜図８に示すように、湯流量調整操作装置４は、下方側かつ内側から順に、通湯路１６を開閉する開閉弁２２、この開閉弁２２を収容するケーシング２４、固定台座２６、化粧台座２８、支柱管部材３０、止めねじ３２、伝達軸部材３４、及び、操作ハンドル３６をそれぞれ備えている。
図３及び図５に示すように、ケーシング２４は、通湯管部材８の外側に設けられて、概ね円筒形状に形成されている。このケーシング２４は、通湯路１６を開閉する開閉弁２２を内部に保持する保持部となっている。
また、図３及び図５に示すように、伝達軸部材３４は、化粧台座２８及び支柱管部材３０によって湯流量調整操作装置４の上下方向の中心軸線Ａ１回りに回転可能に支持されている。
さらに、図３及び図５に示すように、伝達軸部材３４の下端部は、開閉弁２２の上端部に連結されている。一方、伝達軸部材３４の上端部は、操作部である操作ハンドル３６の一部に連結されている。これらにより、伝達軸部材３４は、操作ハンドル３６の回転操作力を開閉弁２２に伝達する伝達軸部として機能するようになっている。
さらに、図５に示すように、開閉弁２２の外周面の一部とケーシング２４の内周面の一部は、螺合部３８によって螺合されている。
図３及び図５に示すように、操作ハンドル３６について中心軸線Ａ１を中心に回転操作することにより、その回転操作方向及び回転量に応じて、伝達軸部材３４が回転するようになっている。そして、開閉弁２２は、伝達軸部材３４と共に回転し、その回転方向及び回転量に応じて通湯路１６が開閉可能となっている。
【００２０】
つぎに、図４〜図８に示すように、固定台座２６は、ケーシング２４と操作ハンドル３６との間に設けられた概ね円環状の部材である。
また、図４〜図８に示すように、化粧台座２８は、支柱管部材３０及び操作ハンドル３６に対して別体に設けられており、固定台座２６を覆うように取り付けられた概ね矩形状の部材（いわゆる、角型の部材）である。しかしながら、化粧台座２８については、このような角型の部材に限られず、外観が丸型形状等の曲面状の部材（いわゆる、丸型の部材）であってもよい。
すなわち、固定台座２６は、ケーシング２４をデッキ面Ｃの所定位置に固定可能にする内側台座部として機能しており、化粧台座２８は、固定台座２６の上方且つ外側を取り囲むように形成された外側台座部として機能している。
そして、図８に示すように、これらの固定台座２６及び化粧台座２８は、中心軸線Ａ１を中心に互いに同心状に配置されている。
なお、本実施形態の水栓装置１においては、化粧台座２８が支柱管部材３０及び操作ハンドル３６に対して別体に設けられた形態について説明するが、化粧台座２８が支柱管部材３０及び操作ハンドル３６に対して一体に形成された形態であってもよい。
【００２１】
つぎに、図４及び図６〜図８に示すように、固定台座２６の上面には、伝熱抵抗部として、その中心軸線Ａ１を中心に周方向全周に亘って凹部（凹溝４０）が形成されている。
そして、図６〜図８に示すように、固定台座２６の凹部４０を形成する内側壁４２は、固定台座２６をケーシング２４の上端部に取り付けた状態で、ケーシング２４の上端部の外周面に接触した状態となる接触部となる。
一方、図６〜図８に示すように、固定台座２６の凹溝４０を形成する外側壁４４は、固定台座２６をケーシング２４の上端部に取り付けた状態で、化粧台座２６の内部の天面を下側から支持する支持部となる。
これらの固定台座２６の凹溝４０の内側壁４２と外側壁４４との間に形成される凹溝４０については、通湯路１６内の熱湯の熱がケーシング２４に伝達された後、ケーシング２４の上端部から固定台座２６の内側壁４２に伝達された熱が、固定台座２６の外側壁４４に伝達されることを抑制する熱抵抗用の間隙Ｓ１として機能するようになっている。
【００２２】
つぎに、図６〜図８に示すように、内側壁４２と外側壁４４とを接続する凹溝４０の底面における径方向の間隔ｄ１は、全周に亘って等間隔で形成されている。
また、図８に示すように、内側壁４２と外側壁４４とを接続する凹溝４０の底面には、上下方向に貫く複数の同一形状のスリット４６が形成されている。そして、各スリット４６同士は、周方向に等間隔ｄ２を置いて形成されている。
これらのスリット４６により、内側壁４２と外側壁４４とが直接的に接触することを回避することができるようになっている。よって、これらのスリット４６は、ケーシング２４の上端部から固定台座２６の内側壁４２に伝達された熱が、固定台座２６の外側壁４４に伝達されることを抑制する伝熱抵抗部として機能するようになっている。
なお、本実施形態の水栓装置１では、固定台座２６の内側壁４２と外側壁４４との間の凹溝４０の底面に複数のスリット４６を設けた形態について説明するが、他の形態であってもよい。
すなわち、他の形態として、固定台座２６の内側壁４２と外側壁４４との間の凹溝４０の底面において、周方向のほぼ全周に亘ってほぼ円形状に形成した単一の熱抵抗用の貫通穴を設けてもよい。
【００２３】
つぎに、図６〜図８に示すように、固定台座２６の外側壁４４の外周面と化粧台座２８の側壁の内周面との間には、熱逃がし用の間隙Ｓ２が形成されている。この熱逃がし用の間隙Ｓ２により、固定台座２６と化粧台座２８との接触面積を小さくすることができると共に、固定台座２６の外側壁４４に伝達した熱を外側に逃がすことができるようになっている。
よって、この熱逃がし用の間隙Ｓ２についても、ケーシング２４の上端部から固定台座２６の内側壁４２に伝達された熱が、固定台座２６の外側壁４４から化粧台座２８に伝達してしまうことを抑制する伝熱抵抗部として機能するようになっている。
【００２４】
つぎに、図７及び図８に示すように、止めねじ３２は、固定台座２６と化粧台座２８とを固定する単一のねじ部材である。
この止めねじ３２が化粧台座２８の背面に外側から螺合されて固定台座２６と化粧台座２８とが固定された状態では、止めねじ３２の先端（前端）のみが、固定台座２６の外側壁４４の後端面に局所的に当接した状態となっている。
【００２５】
ちなみに、図４〜図８に示すように、固定台座２６及び伝達軸部材３４のそれぞれは、ケーシング２４を形成する材料（例えば、黄銅等）の熱伝導率よりも低い熱伝導率の材料（例えば、ＰＯＭ（ポリアセタール）樹脂、或いは、ＳＵＳ３０４等のステンレス材料等）で形成されている。
これらにより、ケーシング２４の上端部から固定台座２６の内側壁４２に伝達された熱が、化粧台座２８に伝達してしまうことをさらにより効果的に抑制することができるようになっている。
また、通湯路１６内の高温の湯が開閉弁２２に接触して、その熱が伝達軸部材３４を介して操作ハンドル３６に伝達されたとしても、操作ハンドル３６が高温になってしまうことを抑制することができるようになっている。
【００２６】
つぎに、図１〜図８を参照して、本発明の一実施形態による水栓装置１の作用について説明する。
まず、上述した本発明の一実施形態による水栓装置１によれば、固定台座２６の内側壁４２と外側壁４４との間に形成された熱抵抗用の間隙Ｓ１を含む伝熱抵抗部を備えている。これにより、通湯路１６からケーシング２４を介して固定台座２６の内側壁４２に伝達された熱が外側壁４４に伝達されることを抑制することができる。
したがって、ケーシング２４から固定台座２６の内側壁４２に伝達された熱が、固定台座２６から化粧台座２８に伝達されることも抑制することができる。
よって、外観部分である化粧台座２８の表面温度が高くなることを防ぐことができ、使用者が化粧台座２８の表面に接触しても安全性を確保することができる。
【００２７】
つぎに、本実施形態による水栓装置１によれば、固定台座２６の内側壁４２と外側壁４４との間に形成される凹溝４０の接続面を貫くスリット４６を含む伝熱抵抗部を備えている。これにより、固定台座２６の内側壁４２と外側壁４４とを接続している凹溝４０の接続面の面積を小さくすることができる。
したがって、通湯路１６からケーシング２４を介して固定台座２６の内側壁４２に伝達された熱が、化粧台座２８に伝達してしまうことを効果的に抑制することができる。
【００２８】
また、本実施形態による水栓装置１によれば、伝熱抵抗部のスリット４６が凹溝４０の接続面において周方向に等間隔ｄ２で複数形成されている。これにより、たとえ、固定台座２６の内側壁４２から外側壁４４に熱が伝達されたとしても、ほぼ均等に伝達される。
したがって、通湯路１６からケーシング２４を介して固定台座２６の内側壁４２に伝達された熱は、たとえ、化粧台座２８にも伝達されたとしても、ほぼ均等に伝達される。
よって、外観部分である化粧台座２８の表面が局所的に高温になることを防ぐことができ、使用者の安全性を確保することができる。
【００２９】
さらに、本実施形態による水栓装置１によれば、固定台座２６の外側壁４４の外周面と化粧台座２８の内周面との間に熱逃がし用のさらなる間隙Ｓ２が形成されている。これにより、固定台座２６と化粧台座２８との接触面積をより小さくすることができる。
したがって、ケーシング２４から固定台座２６の内側壁４２に伝達された熱が、化粧台座２８に伝達してしまうことをより効果的に抑制することができる。
【００３０】
つぎに、本実施形態による水栓装置１によれば、固定台座２６と化粧台座２８とが単一の止めねじ３２により固定された状態では、止めねじ３２が化粧台座２８の一部に螺合されて、止めねじ３２の先端のみが固定台座２６の外側に対して局所的に当接した状態にすることができる。
したがって、例えば、固定台座２６の全周や化粧台座２８の全周に対してねじ等で固定した場合に比べて、固定台座２６と化粧台座２８との接触面積を小さくすることができる。
よって、固定台座２６から化粧台座２８への熱伝導について効果的に抑制することができる。
【００３１】
また、本実施形態による水栓装置１によれば、固定台座２６がケーシング２４を形成する材料の熱伝導率よりも低い熱伝導率の材料で形成されている。
したがって、ケーシング２４から固定台座２６に伝達された熱が、化粧台座２８に伝達してしまうことをさらにより効果的に抑制することができる。
【００３２】
さらに、本実施形態による水栓装置１によれば、伝達軸部材３４が、ケーシング２４を形成する材料の熱伝導率よりも低い熱伝導率の材料で形成されている。
したがって、高温の湯が開閉弁に接触して、その熱が伝達軸部材３４を介して操作ハンドル３６に伝達されたとしても、操作ハンドル３６が高温になってしまうことを抑制することができる。
【符号の説明】
【００３３】
１    水栓装置
２    スパウト（吐水部）
２ａ  吐水口
２ｂ  スパウト内の流路
４    湯流量調整操作装置
６    水流量調整操作装置
８    通湯管部材
１０    通水管部材
１２    分岐管部材
１４    給湯源
１６    通湯路
１８    給水源
２０    通水路
２２    開閉弁
２４    ケーシング（保持部）
２６    固定台座（内側台座部）
２８    化粧台座（外側台座部）
３０    支柱管部材
３２    止めねじ（単一のねじ部材）
３４    伝達軸部材（伝達軸部）
３６    操作ハンドル（操作部）
３８    螺合部
４０    凹溝（伝熱抵抗部、凹部）
４２    固定台座の内側壁（内側台座部の接触部）
４４    固定台座の外側壁（内側台座部の支持部）
４６    スリット（伝熱抵抗部）
Ａ１  湯流量調整操作装置の上下方向の中心軸線
Ｂ１  浴槽
Ｃ    デッキ面
ｄ１  間隔
ｄ２  間隔
Ｓ１  熱抵抗用の間隙（伝熱抵抗部）
Ｓ２  熱逃がし用の間隙（伝熱抵抗部）
【図１】
2018138748.tif 000003
【図２】
2018138748.tif 000004
【図３】
2018138748.tif 000005
【図４】
2018138748.tif 000006
【図５】
2018138748.tif 000007
【図６】
2018138748.tif 000008
【図７】
2018138748.tif 000009
【図８】
2018138748.tif 000010